(57)【特許請求の範囲】
【請求項１】
接続箱本体に接続された電線を外部に引き出す電線挿通部が同一の壁に２つ設けられたロアカバーにおいて、前記各電線挿通部を形成する縁部の一部に、電線と共に巻付部材により巻き付けられて電線を固定する２つの電線取付部がそれぞれ互いにほぼ直交する方向に沿って形成され、これら電線取付部の少なくとも一方が、他方の電線挿通部に最も近い部分以外の電線挿通部の縁部に配置されていることを特徴とするロアカバー。
【請求項２】
前記同一の壁の長手方向の両端部に、前記電線挿通部がそれぞれ設けられ、これら電線挿通部の一方が、他方の電線挿通部とは反対側が開口されている凹状に形成され、この電線挿通部の他方の電線挿通部側の縁部に電線取付部が配設されている請求項１又は２に記載のロアカバー。
【請求項３】
前記同一の壁が、細長の矩形板状に形成された底壁であり、この底壁の各縁部に、前記電線取付部とは反対側に立設する側壁がそれぞれ設けられ、これら側壁のうち底壁の長手方向に沿って設けられた２つの側壁の一方にに、車体等の固定体に装着させる装着部が設けられ、前記他方の電線挿通部に最も近い部分以外の電線挿通部の縁部に設けられる電線取付部が、前記装着部が設けられた側壁に最も近い電線挿通部の縁部に配置されている請求項１乃至３のいずれか１項に記載のロアカバー。
【発明の詳細な説明】
【０００１】
【発明の属する技術分野】
本発明は、電線の電線取付部への巻付部材による固着を容易に行えるロアカバーに関するものである。
【０００２】
【従来の技術】
自動車等の車体には、ワイヤハーネスの接続処理用の部品や、ヒューズ、リレー、電子制御ユニット等の電気部品を収容するために、ジャンクションボックス、ヒューズボックス、リレーボックス等の電気接続箱が用いられている。電気接続箱としてはいろいろな形、大きさのものがあり、その一つとして、電気接続箱の下部をロアカバーを用いて構成する小型のものがある。
【０００３】
この電気接続箱は、例えば、接続箱本体にロアカバーとアッパーカバーと装着するものがある。
ロアカバーは、細長い矩形板状の底壁の各縁部に、底壁に対して略垂直に延出する側壁をそれぞれ設けて、接続箱本体の下部を覆うように形成され、接続箱本体の下部を保護すると共に、導出する電線を保護するものである。
【０００４】
ロアカバーの底壁の長手方向の両端部に、接続箱本体に搭載されている電気部品に接続された電線例えばワイヤハーネスを電気接続箱の外部に導出させるワイヤハーネス導出口をそれぞれ設けることで、電気接続箱に接続されるワイヤハーネスの引き回し部分を少なくすることができる。すなわち、電気部品は、通常、例えば給電側と受電側との２つのコネクタ（接続端子）があり、これらコネクタが接続本体に接続されている場合、ワイヤハーネスの導出口が１箇所であると、どちらか一方のコネクタに接続されているワイヤハーネスを導出口から導出させるには、ワイヤハーネスを引き回す部分が必要になる。このため、ワイヤハーネス導出口をそれぞれロアカバーの底壁の長手方向の両端部に２つ設けることで、電気接続箱内のワイヤハーネスの引き回し部分を少なくでき、電気接続箱の小型化を図れる。
【０００５】
【発明が解決しようとする課題】
ところで、前記ロアカバーのワイヤハーネス導出口は、それぞれほぼ矩形状に形成され、これら導出口の他の導出口に一番近い縁部に、テープ等の巻付部材と共に巻き付けられてワイヤハーネスを固定するワイヤハーネス取付部が設けられて、それぞれワイヤハーネスが引っ張られることによりワイヤハーネスが接続箱本体の電気部品から外れないようになっている。ワイヤハーネス取付部は、底壁に対して側壁とは反対方向に略垂直に延在する板状に形成され、このワイヤハーネス取付部に、ワイヤハーネスを接触させて、ワイヤハーネスとワイヤハーネス取付部とを例えばテープで一緒に巻き付けて結束し、ワイヤハーネスをワイヤハーネス取付部に固着させるものである。
【０００６】
しかし、１つのワイヤハーネス導出口から導出したワイヤハーネスをそのワイヤハーネス導出口のワイヤハーネス取付部にテープで巻き付けるとき、テープが巻き付けられたテープ体の巻付径が大きい、例えば満巻きのテープ体であると、他のワイヤハーネス導出口のワイヤハーネス取付部が邪魔になることがある。すなわち、ロアカバーが小型であると、２つのワイヤハーネス取付部の間隔は、満巻きされているテープ体の直径より若干大きいものであり、この場合、テープ体をワイヤハーネスとワイヤハーネス取付部との外周をその外周に沿って移動させてテープを巻き付けるため、テープ体の巻付径が大きいと、テープ体を２つのワイヤハーネス取付部間の間に入れ難くなり、巻き付け作業が行い難いことがある。
【０００７】
そこで、本発明は、このような実状に鑑みなされたものであり、その目的は、電線とワイヤハーネス取付部とを容易に巻付部材で巻くことができるロアカバーを提供することにある。
【０００８】
【課題を解決するための手段】
前記目的を達成するために、本発明のロアカバーは、接続箱本体に接続された電線を外部に引き出す電線挿通部が底壁に２つ設けられたロアカバーにおいて、前記２つの電線挿通部がそれぞれ互いにほぼ直交する方向に沿って形成され、前記各電線挿通部の一部に、電線と共に巻付部材により巻き付けられて電線を固定する２つの電線取付部がそれぞれ互いにほぼ直交する方向に沿って形成され、これら電線取付部の少なくとも一方が、他方の電線挿通部に最も近い部分以外の電線挿通部に配置されているものである（請求項１）。
【０００９】
このように構成することで、電線取付部の間隔が、各電線取付部を他方の電線挿通部の最も近い電線挿通部に配置する場合に比して、広くなるので、電線と電線取付部とを巻付部材で結束するときに巻付部材を電線取付部材の間に入れ易くなり、電線と電線取付部とを容易に巻付部材で巻くことができる。
【００１０】
特に、前記２つの電線取付部がそれぞれ互いにほぼ直交する方向に沿って形成されていることで、これら電線取付部に電線を固定した場合、電線に対して電線取付部の位置が異なるので、電線取付部が目印となって電線の識別を容易に行える。
【００１１】
前記同一の壁の長手方向の両端部に、前記電線挿通部がそれぞれ設けられ、これら電線挿通部の一方が、他方の電線挿通部とは反対側が開口されている凹状に形成され、この電線挿通部の他方の電線挿通部側の縁部に電線取付部が配設されていることが好ましい（請求項２）。
【００１２】
このように、電線挿通部の一方が、他方の電線挿通部とは反対側が開口されている凹状に形成され、この電線挿通部の他方の電線挿通部側の縁部に電線取付部が配設されていることで、一方の電線挿通部から導出した電線をその電線取付部に巻付部材により巻き付けるとき、電線を電線取付部に接触させ易くなり、巻付部材による巻付を容易に行える。
【００１３】
前記同一の壁が、細長の矩形板状に形成された底壁であり、この底壁の各縁部に、前記電線取付部とは反対側に立設する側壁がそれぞれ設けられ、これら側壁のうち底壁の長手方向に沿って設けられた２つの側壁の一方にに、車体等の固定体に装着させる装着部が設けられ、前記他方の電線挿通部に最も近い部分以外の電線挿通部の縁部に設けられる電線取付部が、前記装着部が設けられた側壁に最も近い電線挿通部の縁部に配置されていることが好ましい（請求項３）。
【００１４】
このように、装着部が設けられた側壁に最も近い電線挿通部に電線取付部が配設されていることで、装着部が設けられている側壁は、装着部が設けられているため、他の何も設けていない側壁に比して強度的に優れているので、電線取付部は折れ曲がり難く、破損し難いものとなる。
【００１５】
【発明の実施の形態】
以下、本発明の実施の形態を添付図面に基づいて詳述する。
図１乃至図４は本発明のロアカバーが示されている図である。図１乃至図４において、１はロアカバーを示し、このロアカバー１は、電気接続箱２を構成する一構成要素である。
【００１６】
この電気接続箱２は、ワイヤハーネスの接続処理用の部品や、ヒューズ、リレー、電子制御ユニット等の電気部品を収容するジャンクションボックス、ヒューズボックス、リレーボックス等であり、自動車などの車体等に搭載される例えば長手方向の長さが約１２５ｍｍの小型のものである。この電気接続箱２は、例えば、下部にロアカバー１が、上部にアッパーカバー３がそれぞれ接続箱本体５に装着されて、接続箱本体５に搭載された電線例えばワイヤハーネス４の接続処理用の部品やヒューズ、リレー、電子制御ユニット等の電気部品が保護される。
【００１７】
ロアカバー１は、接続箱本体５に装着されるロアカバー本体６と、固定体例えば車体に装着させるための装着部７とからなり、合成樹脂により一体的に射出成形により成形されている。
ロアカバー本体６は、細長の矩形板状の底壁８と、その底壁８の４つの縁部に、底壁８に対して略垂直に立設した４つの側壁９、１０、１１、１２とから接続箱本体５の下部を収容する断面凹状に形成されている。長辺の側壁の一方の側壁（第１側壁）９に装着部７が設けられている。
【００１８】
装着部７は、第１側壁９とほぼ平行に延在し、第１側壁９より高さ及び長さが若干大きい矩形板状に形成されている。この装着部７の長辺の一縁部と第１側壁９の上端部近傍の外表面とが第１側壁９及び装着部７の面とほぼ直交する方向に沿って延在する連結片１３によって一体的に連結されている。連結片１３の下部には、第１側壁９の外表面に接続される複数の補強片１４が一体的に設けられて、連結片１３等の変形が防止される。
【００１９】
装着部７には、車体等に設けられた係合部（図示せず）と係合する突部（図示せず）を有する係合片１５が２つ可撓自在に設けられていると共に、車体等に設けられた突片（図示せず）が挿入嵌合されて、装着する際の位置決め機能を有する矩形状の嵌合部１６が設けられ、かつ、車体等に設けられた係合片（図示せず）と係合する係合突部１７を有する係合溝１８が２つ設けられ、車体等に着脱自在に確実に装着されるようになっている。
【００２０】
装着部７と第１側壁９とを連結する連結片１３は、アッパーカバー３の先端部が当接する当接片でもあり、この当接片７は第１側壁９以外のロアカバー本体６の３つの側壁１０、１１、１２の外表面に一体的に連設されている。すなわち、ロアカバー本体６の４つの側壁９、１０、１１、１２の上端部近傍の外周面には、側壁９、１０、１１、１２の外面とほぼ直交する方向に沿って延在する当接片１９が設けられ、接続箱本体５の下端部がこの当接片１９に当接すると共に、ロアカバー本体６の当接片１９より上部の側壁９、１０、１１、１２が接続箱本体５の下端部内に位置されて接続箱本体５とロアカバー本体６とが嵌合されるようになっている。
【００２１】
ロアカバー本体６の第１側壁９と対向する側壁（第２側壁）１０の一端部の外表面には、その第２側壁１０の先端部より上方に突出する門型の第１係合部２０が設けられている。第１係合部２０は、第２側壁１０からその面に沿って上方に延出し、所定の間隔を隔てた２つの支柱２０ａ、２０ｂと、それら支柱２０ａ、２０ｂの先端部を連結すると共に、接続箱本体５の側面に設けられた係合突部（図示せず）と係合するロック片２０ｃとからなる。
【００２２】
また、ロアカバー本体６の残りの側壁１１、１２のうち第１係合部２０から遠い方の側壁（第３側壁）１１のほぼ中央部には、第１係合部２０とほぼ同じ形状の第３側壁の先端部より上方に突出する門型の第２係合部２１が設けられている。第２係合部２１は、第３側壁１１からその面に沿って上方に延出し、所定の間隔を隔てた２つの支柱２１ａ、２１ｂと、それら支柱２１ａ、２１ｂの先端部を連結すると共に、接続箱本体５の側面に設けられた係合突部２２と係合するロック片２１ｃとからなる。
【００２３】
ロアカバー本体６の底壁８のほぼ中央部には、水抜き孔２３が穿設され、電気接続箱２内に浸入した水が排出されるようになっている。
底壁８の長手方向の両端部には、接続箱本体５に接続された複数の電線例えばワイヤハーネス４を外部に引き出す電線挿通部２４、２５がそれぞれ設けられている。
【００２４】
第３側壁１１側の電線挿通部（第１電線挿通部）２４は、電線例えばワイヤハーネス４が挿通する電線挿通孔として形成されている。この電線挿通孔２４に挿通されるワイヤハーネス４は、電線挿通孔２４の近傍では屈曲等されることなく電線挿通孔２４に挿通されるものであるため、ロアカバー１と接続箱本体５とを嵌合させたとき、これらの間にワイヤハーネス４の外表面が挟み込むおそれがないものである。
電線挿通孔２４は、ワイヤハーネス４が挿通できるならばどのような形状、大きさに形成してもよく、例えば矩形状に形成されている。電線挿通孔２４を形成する縁部は、底壁８に対してほぼ直交する方向に延出されて延出片２６として形成され、ワイヤハーネス４が接触しても破損し難くなっている。
【００２５】
この矩形状に形成されている延出片２６の第１側壁側の第１延出片２６ａのほぼ中央部には、第１延出片２６ａから延出する第１電線取付部２７が設けられている。第１電線取付部２７は、底壁８に対してほぼ直交する方向に延出された細長の矩形板状に形成され、ワイヤハーネス４と共に巻付部材２８により巻き付けられてワイヤハーネス４を固定するものである。第１電線取付部２７の両根元側端部は、三角形状に一体的に延出されて補強され、第１電線取付部２７が折れ曲り難くなっている。第１電線取付部２７の長さは、巻付部材例えばテープ２８の幅より長く、例えばテープ２８の幅が約１９ｍｍの場合には２０ｍｍ以上に形成することが好ましい。
第１電線取付部２７の先端部の電線挿通孔２４とは反対側の面には、第１電線取付部２７に対してほぼ直交する方向に沿って延出するテープずれ止め用の突条２９が設けられている。
【００２６】
巻付部材としては例えばテープ２８が用いられ、このテープ２８は片面（又は両面）に粘着剤が塗布されているものが好ましく、このテープ２８は例えば円筒状の芯の外周に何周にも巻き付けられたもの（テープ体）から漸次剥がされて用いられるものである。
【００２７】
他方の電線挿通部（第２電線挿通部）２５は、第１電線挿通部２４とほぼ同じ矩形状に形成されるが、第４側壁１２がその第２電線挿通部２４の第１、２側壁９、１０側の縁部に沿って切り欠いて開口された凹状に形成されている。この第２電線挿通部２５に挿通されるワイヤハーネス４は、第２電線挿通部２５の近傍で屈曲等されて、第２電線挿通部２５が第１電線挿通部２４とほぼ同じように孔状に形成されていると、挿通したワイヤハーネス４の外表面がロアカバー１と接続箱本体５とを嵌合させたとき、これらの間に挟み込むおそれがあるものである。このため、第４側壁１２を第２電線挿通部２５の第１、２側壁９、１０側の縁部に沿って切り欠くことにより、ワイヤハーネス４の外表面がロアカバー１と接続箱本体５との間に挟み込まれることがない。
【００２８】
第２電線挿通部２５は、矩形状に限らずワイヤハーネス４が挿通できるならばどのような形状、大きさに形成してもよい。第２電線挿通部２５及び第４側壁１２の開口部を形成する縁部は、底壁８及び第４側壁１２に対してほぼ直交する方向に延出されて延出片３０として形成され、ワイヤハーネス４が接触しても破損し難くなっている。
【００２９】
第２電線挿通部２５を形成する３つの延出片３０ａ、３０ｂ、３０ｃのうちの第４側壁１２とは反対側の延出片（第３延出片）３０ｃのほぼ中央部には、第３延出片３０ｃから延出する第２電線取付部３１が設けられている。第２電線取付部３１は、第１電線取付部２７とほぼ同じ形状に形成されている。すなわち、第２電線取付部３１は、底壁８に対してほぼ直交する方向に延出された細長の矩形板状に形成され、ワイヤハーネス４と共に巻付部材２８により巻き付けられてワイヤハーネス４を固定するものである。第２電線取付部３１の両根元側壁部は、三角形状に一体的に延出されて補強され、第２電線取付部３１が折れ曲り難くなっている。第２電線取付部３１の長さは、巻付部材例えばテープ２８の幅より長く、例えばテープ２８の幅が約１９ｍｍの場合には２０ｍｍ以上に形成されている。
第２電線取付部３１の先端部の電線挿通孔２５とは反対側の面には、第２電線取付部３１に対してほぼ直交する方向に沿って延出するテープずれ止め用の突条３２が設けられている。
【００３０】
第２電線取付部３１の設け位置は、第２電線挿通部２５を形成する３つの延出片３０ａ、３０ｂ、３０ｃのどれでもよいが、好ましくは図示するように第３延出片３０ｃである。このように第２電線取付部３１を第３延出片３０ｃに設けた場合には、第１電線取付部２７は、第３側壁とは反対側の第４延出片２６ｄ以外の３つの延出片２６ａ、２６ｂ、２６ｃに設けるようにし、好ましくは図示するように第１延出片２６ａである。
また、第２電線取付部３１を第３延出片３０ｃ以外の他の第１、第２延出片３０ａ、３０ｂに設けた場合には、第１電線取付部２７は、４つの延出片２６ａ、２６ｂ、２６ｃ、２６ｄのいずれもでもよい。例えば、第１、第２電線取付部２７、３１をそれぞれ第１壁側のそれぞれの第１延出片２６ａ、３０ａに設けるようにしてもよい、すなわち、第１、第２電線取付部２７、３１を同一面上に設けるようにしてもよい。また、第１電線取付部２７を第４延出片２６ｄに、第２電線取付部３１を第１延出片３０ａに設けるようにしてもよい。
【００３１】
さて、このロアカバー１を用いるには、まず接続箱本体５にヒューズ、リレー、電子制御ユニット等の電気部品を搭載した後、これら電気部品にワイヤハーネス４の複数端子をそれぞれ所定の部品に接続する。この接続箱本体５にアッパーカバー３を装着すると共に、ロアカバー１を装着する。ロアカバー１の装着は、第１電線挿通部２４には第１電線挿通部２４の近傍で屈曲等されることがないワイヤハーネス４が挿通され、第２電線挿通部２５には第２電線挿通部２５の近傍で屈曲等されるワイヤハーネス４が挿通されたロアカバー１を接続箱本体５の下部に嵌合させて、接続箱本体５の係合突部（図示せず）とロック片２０ｃとを及び係合突部２２とロック片２１ｃとを係合して行う。
【００３２】
そして、第１電線挿通部２４から導出しているワイヤハーネス４を第１電線取付部２７に接触させて、ワイヤハーネス４と第１電線取付部２７とを巻付部材例えばテープ２８で一緒に巻き付けて結束し、ワイヤハーネス４を第１電線取付部２７に固着する。第２電線挿通部２５から導出しているワイヤハーネス４も第１電線取付部３１に接触させて、ワイヤハーネス４と第２電線取付部３１とをテープ２８で一緒に巻き付けて結束し、ワイヤハーネス４を第２電線取付部３１に固着する。これらワイヤハーネス４の固着はどちらから行ってもよい。
【００３３】
ワイヤハーネス４と第１、第２電線取付部２７、３１とをテープ２８で一緒に巻き付けるには、テープ体（図示せず）からテープ２８の先端部を剥がし、このテープ２８の先端部をワイヤハーネス４と第１、第２電線取付部２７、３１との外周にくっつけて、テープ体をその外周に沿って移動させて行う。このため、第１、第２電線取付部２７、３１の間隔が、第１、第２電線取付部２７、３１を他方の電線挿通部の最も近い電線挿通部に配置する場合（第１、第２電線取付部２７、３１を第４延出片２６ｄ、第３延出片３０ｃに設ける場合）に比して広いと、テープ体を第１、第２電線取付部２７、３１の間に入れ易くなり、ワイヤハーネス４と第１、第２電線取付部２７、３１とをテープ２８で巻き易くなる。
【００３４】
したがって、本発明のロアカバー１は、第１、第２電線取付部２７、３１の少なくとも一方を、他方の電線挿通部に最も近い部分以外の延出片に設けるようにしたので、ワイヤハーネス４の第１、第２電線取付部２７、３１へのテープ２８による固着を容易に行うことができる。
【００３５】
また、第１、第２電線取付部２７、３１を例えば図示するように互いにほぼ直交する方向に沿って配設することで、これら第１、第２電線取付部２７、３１にワイヤハーネス４、４を固着した場合、ワイヤハーネス４、４に対して第１、第２電線取付部２７、３１の位置が異なるので、第１、第２電線取付部２７、３１が目印となってワイヤハーネス４、４の識別を容易に行えることになる。
【００３６】
また、第２電線挿通部２５が、第１電線挿通部２４とは反対側が開口されている凹状に形成され、第２電線取付部３１が第３延出片３０ｃに配設されていることで、ワイヤハーネス４のテープ２８による固着を容易に行える。すなわち、第２電線挿通部２５から導出されているワイヤハーネス４は、ロアカバー１を装着したとき、ロアカバー１内等で第２電線挿通部２５の近傍で屈曲等されているので、第２電線挿通部２５内では直線の状態ではなく曲った状態である。このため、第２電線取付部３１が例えば第１延出片３０ａのほぼ中央部に設けられている場合には、ワイヤハーネス４の位置合わせがし難いが、第２電線取付部３１が第３延出片３０ｃに配設されていると、第２電線挿通部２５が凹状に形成されているため、ワイヤハーネス４を第３延出片３０ｃに押しつけやすいので、ワイヤハーネス４の第２電線取付部３１への位置合わせを容易に行え、その結果としてワイヤハーネス４のテープ２８による固着を容易に行えることになる。
【００３７】
また、電線取付部２７、３１を第１延出片２６ａ、３０ａに配設することで、折れ曲がり難く、例えば破損し難い。すなわち、第１延出片２６ａ、３０ａは、第１側壁９の近傍に設けられ、この第１側壁９は電気接続箱２を支える装着部７が連結されているため、第１側壁９は他の側壁１０、１１、１２に比して強度が強く、他の延出片に比して強度的に優れている。このため、第１延出片２６ａ、３０ａに電線取付部２７、３１を配設することで、電線取付部２７、３１は折れ曲がり難く、破損し難いものとなる。
【００３８】
【発明の効果】
以上要するに請求項１に記載の発明によれば、電線の電線取付部への巻付部材による固着を容易に行うことができる。
【００３９】
特に、前記２つの電線取付部がそれぞれ互いにほぼ直交する方向に沿って形成されているから、電線取付部に電線を固定した場合、電線に対して電線取付部の位置が異なるので、電線取付部が目印となって電線の識別を容易に行える。
【００４０】
請求項２に記載の発明によれば、電線を電線取付部に接触させ易くなり、巻付部材による巻付を容易に行える。
【００４１】
請求項３に記載の発明によれば、電線取付部は折れ曲がり難く、破損し難いものとなる。
【図面の簡単な説明】
【図１】本発明のロアカバーを有する電気接続箱の一例を示す図である。
【図２】本発明のロアカバーの一例を示す斜視図である。
【図３】本発明のロアカバーの正面の状態を示す図である。
【図４】本発明のロアカバーの底面の状態を示す図である。
【符号の説明】
１    ロアカバー
２    電気接続箱
４    ワイヤハーネス（電線）
５    接続箱本体
７    装着部
８    底壁
９    第１側壁
２４  第１電線挿通部
２５  第２電線挿通部
２８  巻付部材
２７  第１電線取付部
３１  第２電線取付部
【図１】
0003940286.tif 000002
【図２】
0003940286.tif 000003
【図３】
0003940286.tif 000004
【図４】
0003940286.tif 000005